Podtech/llm-jp-corpus-v4-ja_patent huggingface dataset:
(57)【要約】      （修正有）【課題】胸部分が目立たないように構成することにより、ブラジャーを着用しない場合でも恥ずかしくない女性用衣服の提供。【解決手段】女性用衣服Ａは、衣服本体１０の胸部において、衣服本体１０の生地の外側に弛みをもたせて別布２０を縫着してなるものである。また、別布２０が衣服本体１０の胸部と同色である構成としてもよい。さらに、別布２０がレース地よりなる構成としてもよい。【選択図】図１
0003139552.tif 000002
【実用新案登録請求の範囲】
【請求項１】
衣服本体の胸部において、衣服本体の生地の外側に弛みをもたせて別布を縫着してなることを特徴とする女性用衣服。
【請求項２】
別布が衣服本体の胸部の生地と同色であることを特徴とする請求項１に記載の女性用衣服。
【請求項３】
別布がレース地よりなることを特徴とする請求項１又は２に記載の女性用衣服。
【考案の詳細な説明】
【技術分野】
【０００１】
本考案は、女性用衣服に関し、特に胸部分が目立たないように構成した女性用衣服に関する。
【背景技術】
【０００２】
ブラジャーは、これを着用していると窮屈感や圧迫感を伴うものであるため、家庭でくつろぐときはブラジャーを着用しないことがある。そのような場合に、宅配便等の応対や回覧板の受取などの際、あるいはゴミ出しなどの用事でちょっと外に出るときには、体裁を取り繕うために上着を羽織る必要がある。また、旅行における宿泊先での団欒時にはリラックスするためにブラジャーを外したいと思っても、人目が気になってブラジャーの着用を余儀なくされる。さらに、入院時などには、一般にブラジャーを着用しないが、男性の見舞客の応対や病室から出る必要があるときには、体裁が悪いために上着を羽織ったりしなければならないのが実情である。
【０００３】
下記特許文献１〜３には、女性用の衣服について、その胸部分に工夫を凝らした衣服が示されているが、上記のような問題を解決するものではない。
【０００４】
また、衣服の胸部において、衣服の生地の内側に別布を縫着したことにより、ブラジャー無しでも体裁良く着用できることを特徴にしたものがある。
【特許文献１】特開平９−３１６７１６号
【特許文献２】特開平９−３１７２５号
【特許文献３】特開２００５−１５４９９０号
【考案の開示】
【考案が解決しようとする課題】
【０００５】
しかし、上記のように衣服の内側に別布が縫着されているものは、肌に対する違和感や不快感があり、外観もごろついた不自然な感じなる。
【０００６】
そこで、本考案者は、鋭意研究を重ね、胸部分が目立たないように構成することにより、ブラジャーを着用しない場合でも恥ずかしくない女性用衣服を考案した。
【課題を解決するための手段】
【０００７】
本考案に係る女性用衣服は、衣服本体の胸部において、衣服本体の生地の外側に弛みをもたせて別布を縫着してなることを特徴とするものである。また、前記の別布が衣服本体の胸部の生地と同色である構成としてもよい。さらに、前記の別布がレース地よりなる構成としてもよい。
【考案の効果】
【０００８】
本考案に係る女性用衣服は、衣服本体の胸部において、衣服本体の生地の外側に弛みをもたせて別布を縫着してなるため、ブラジャーを着用しなくても、胸部の膨らみや乳首の突出が目立たず、人目をごまかせるので、恥ずかしさを感じず、平気で人と応対することが可能となる。しかも、外側に別布を縫着しているので、肌に接触する内側はフラットなので違和感がない。また別布を衣服本体と同色で構成した場合には、より一層目立たなくなる。さらに、別布をレース地で構成した場合には、服のデザインの一部にもなるので体裁が良く、オシャレな感じをもたせた衣服となる。したがって、家庭でくつろぐときのホームウェアやパジャマ、旅行における宿泊用衣服、病院での患者用衣服に最適である。
【考案を実施するための最良の形態】
【０００９】
以下に本考案の好適な実施例を図１及び図２に基いて詳細に説明する。
【実施例】
【００１０】
図１は実施例の女性用衣服の正面図であり、図２は実施例の女性用衣服の一部切欠側面図である。
【００１１】
本実施例に係る女性用衣服Ａは、図１及び図２に示すように衣服本体１０の胸部に別布２０を弛みをもたせて縫着したものである。すなわち、別布２０は、帯状の形態をなしており、衣服本体１０の胸部を覆うように横方向に配されており、別布２０が縫着される衣服本体１０の胸部の生地の上下長さよりも別布２０の上下長さの方が長く設計されていて、衣服本体１０の胸部の生地の上に別布２０が弛みをもって重ね合わせた状態に形成されている。縫着箇所は別布２０の上端縁２１と下端縁２２と胸間部２３である。なお、別布２０の上端縁２１の縫着は必須であるが、下端縁２２と胸間部２３の縫着は必ずしも必要でなく、上から別布２０が垂下する状態に形成してもよい。
【００１２】
上記のように本実施例に係る女性用衣服Ａは、衣服本体１０の胸部に縫着した別布２０が弛みをもっているので、ブラジャーを着用しなくても、胸部の膨らみや乳首の突出を目立たさない効果がある。したがって、人目をごまかせるので、恥ずかしさを感じず、平気で人と応対することが可能となる。しかも、衣服本体１０の外側に別布２０を縫着しているので、肌に接触する内側はフラットなので違和感がない。
【００１３】
なお、別布を衣服本体と同色で構成してもよい。その場合には、より一層目立たなくなる効果がある。さらに、別布をレース地で構成してもよい。その場合には、服のデザインの一部にもなるので体裁が良く、オシャレな感じをもたせた衣服となる。
【００１４】
上記の実施例は、これに限定されるものではなく、実用新案登録請求の範囲に記載した広範囲な実施形態を包含するものである。
【図面の簡単な説明】
【００１５】
【図１】本考案における実施例の女性用衣服の正面図である。
【図２】本考案における実施例の女性用衣服の一部切欠側面図である。
【符号の説明】
【００１６】
Ａ・・・女性用衣服
１０・・衣服本体
２０・・別布
２１・・別布の上端縁
２２・・別布の下端縁
２３・・別布の胸部間
【図１】
0003139552.tif 000003
【図２】
0003139552.tif 000004
(57)【要約】      （修正有）【課題】タンク内部に収容した豚骨等のゲンコツ部分を含む熱湯内において、骨を切削破砕して髄部分を全部取り出し、これによってスープ素材を生成する削骨機を提供する。【解決手段】適当太さと長さに成る回転軸１の下側部に適当長さの切削杆２，２・・を上下間隔をおいて直交する位置に交互に設け、前記回転軸の基端部は任意の伝動機構を有するハンドル式電動器体４に装着して成るものである。【選択図】図３
0003139587.tif 000002
【実用新案登録請求の範囲】
【請求項１】
適当太さと長さに成る回転軸の下側部に適当長さの切削杆を上下間隔をおき直交する位置に交互に設け、前記回転軸の基端部は任意の伝動機構を有するハンドル式電動器体に装着して成ることを特徴とする削骨機。
【請求項２】
回転軸の下側部に設ける切削杆の両端部は垂直の切端面を形成して成ることを特徴とする請求項１に記載した削骨機。
【考案の詳細な説明】
【技術分野】
【０００１】
本考案は、手動操作によって豚骨等の削骨作業を行う削骨機に関するものである。
【背景技術】
【０００２】
従来、豚骨等の肉付きの骨のゲンコツ部分から良質の出し汁を得るために、骨の内部に詰っている髄部分を取り出す手段がなかったから、短く切断したゲンコツ部分をさらに手作業で切削するしかなかった。ゲンコツ部分を適当大きさや形状に機械的に切り割りする技術としては、下記の特許公報が存するが、これは骨の髄部分にまで及んで取り出すという削骨機ではなかった。
【０００３】
【特許文献１】特許第２９４８５２９号公報
【考案の開示】
【考案が解決しようとする課題】
【０００４】
そこで、本考案は、作業者がタンク内部に収容した豚骨等のゲンコツ部分を含む熱湯内において、骨を切削破砕して内部の髄部分を全部確実に取り出してスープ素材を生成するための削骨機を提供することを目的とするものである。
【課題を解決するための手段】
【０００５】
本考案は、適当太さと長さに成る回転軸の下側部に適当長さの切削杆を上下間隔をおいて直交する位置に交互に設け、前記回転軸の基端部は任意の伝動機構部を有するハンドル式電動器体に装着して成るものである。
【考案の効果】
【０００６】
作業者は本考案機具を用いることによって、ラーメン用のスープの素材となる骨髄エキスを十分含んだ高品質の出し汁を得ることができるから、顧客に最高品質のラーメンスープを提供することができるようになる。
【０００７】
この出し汁の搾り出し作業は、両手を把持したハンドル式の電動器を始動すれば回転軸が回転し、その下側部の左右切削杆がタンク内に収容した骨のゲンコツ部分に当たって攪拌し、確実に砕き削ることができるようになるから、従来きわめて重労働であった骨砕き髄出し作業を安楽に行うことができるようになり、豚骨等のスープ素材の速成機としての効果はきわめて大きい。
【０００８】
切削杆の左右両端部の端面は垂直の切断面になるが、作業者がタンク内部に向って前記ハンドルを把持したときの回転軸の角度はほぼ４５°になるから、タンクに収容されたゲンコツ部分に当接する角度はちょうど切削に適する角度となって攪拌運動を繰返すようになる。
【考案を実施するための最良の形態】
【０００９】
本機具を用いて豚骨等の切削作業を行うときは、まず所定のタンク内に給水し、これをタンク基台に配置した任意の燃焼器具のバーナーに点火して加熱し、熱湯化した後に直接又は網篭体内に、２０ｃｍ位の長さに切断したゲンコツ部分を多量に収容し、加熱を続ける。
【００１０】
しかる後に、作業者は本回転軸の基端部に電動器具を装着し、回転軸を前記タンクの熱湯内に入れてレバースイッチを入れる。すると、回転軸はまず低速度でゆっくりと回転するから、その下側部の左右両側方向に突設する切削杆が熱湯内を攪拌し、ゲンコツ部分に衝突してこれを破砕し、骨の髄部分を取り出すようになる。この間、作業者は両手を縦形，横形の各把手を把持しながら、タンク内の回転軸の方向を自在に作動するようにすれば、前記切削杆とその端面部が攪拌と切削を繰返して行うようになる。攪拌のための回転軸の回転速度はゆっくりの方がゲンコツ部分の切削破砕が効果的に行われ、骨内の髄部分のエキスが抽出し易くなり、これによってスープ素材が生成されるようになる。
【実施例】
【００１１】
１は適当太さと長さに成る回転軸で、この回転軸の下側部には、左右方向に適当太さと長さに成る切削杆２，２を上下間隔をおいて直交する位置に設けている。この切削杆２，２の各端部は垂直の切端面２’，２’を形成している。
【００１２】
３は前記回転軸１の基端部で、この基端部は伝動機構部を有する任意の電動器体４の所定箇所に着脱し得るようにする。
【００１３】
５，６は前記電動器体４に設けた縦形把手５と横形把手６であり、作業者はこの各把手を両手で把持して作業を行うことになる。
【００１４】
７は所定容積を有するタンクで、このタンクの下端部適所には蛇口８を設ける。このタンク７の内部には、別に用意する網篭体にゲンコツ部分を収容し、この中に前記回転軸を挿入して熱湯とともに攪拌作業を行ってもよい。
【００１５】
９は前記蛇口８のあるタンク７の内側部に設けたストレーナで、豚骨等のゲンコツ部分から抽出されたスープ素材となる液汁は、このストレーナ９を介して前記蛇口８から外部に取り出されるようになる。
【００１６】
なお、図面では省略しているが、前記ゲンコツ部分を収容したタンク７は、作業現場においては使用者の常設の燃焼器具上に載置して加水しこれを熱湯化し、そのような状態において攪拌作業を行う。（図３参照）
【図面の簡単な説明】
【００１７】
【図１】本体の斜視図
【図２】使用時の全体の斜視図
【図３】使用時の作業状態図
【図４】タンク部の斜視図
【符号の説明】
【００１８】
１                    回転軸
２，２・・            切削杆
２’，２’・・        切端面
３                    基端部
４                    電動器体
５                    縦形把手
６                    横形把手
７                    タンク
８                    蛇口
【図１】
0003139587.tif 000003
【図２】
0003139587.tif 000004
【図３】
0003139587.tif 000005
【図４】
0003139587.tif 000006
(57)【要約】 【課題】      従来の撮影照明機材用の固定式リフレクタでは不可能であった、単一のリフレクタによる複数のライティングを可能とするリフレクタを提供する。又、スポット光を照射したい場合にも、異なった装置に付け替える必要がなく、収納時には保護用のカバーにもなるリフレクタを提供する。 【解決手段】  複数の花弁状の部品３を、環状の部品２に蝶番で固定することで可動性をもたせ、照射角度を無段階に変化させる。又、照射角度を最も絞った状態ではスポット光を照射でき、ライトを保護するカバーの役割も果たすリフレクタにより、この課題を解決する。 【選択図】    図１
0003139290.tif 000002
【実用新案登録請求の範囲】
【請求項１】
内面が銀色又は白色で反射作用を持つ複数枚の花弁型部品を環状の金具に蝶番を用いて開閉可能にとりつけ、光線の拡散状態を自由に変化させることができることを特徴とする、写真撮影照明機材用のリフレクタ。
【請求項２】
開くと照明光を拡散し、つぼみのように内側にたたむとスポット光を照射し、また中間の状態では照明光の拡散状態を任意に調節できる、請求項１に記載の写真照明機材用のリフレクタ。
【請求項３】
前記花弁型部品の素材に金属板またはプラスチック板を用いることで、前記複数枚の花弁型部品が閉じた状態で照明装置に装着したまま照明装置を保管することで、該照明装置の発光部を保護するカバーの役割を果たす、請求項１または２に記載の写真撮影照明機材用のリフレクタ。
【考案の詳細な説明】
【技術分野】
【０００１】
本考案は写真や映画の撮影時に被写体を照明する、撮影用照明に関するものである。
【背景技術】
【０００２】
従来の撮影用照明では、固定したリフレクタを使用していた（図５）。本考案にいうリフレクタとは、撮影用照明装置（図７）に装着して（図８）使用する装置のことを指す。
また従来は、撮影時に光を絞りスポットライト効果を得るために、集光用の器具であるスヌート（図６）を別途用意する必要があった。
さらに、照明機材を収納する場合にはリフレクタを取り外して保護カバーを取り付けるか、またはリフレクタ開口部に保護カバーを取り付ける必要があった。
これらを部分的に解決しようとする考案としては、特許文献１に開示されているものがある。
【特許文献１】実用新案登録第３０７６０８９号
【考案の開示】
【考案が解決しようとする課題】
【０００３】
従来の固定型リフレクタでは、光を照射する範囲を変えたい場合などには、サイズと形状の異なる複数のリフレクタを用意して付け替えなければならなかった。それではかさばる上に、付け替えの手間がかかり不便である。
さらに、極端に光を絞って集光する目的で使用するスヌートは、リフレクタと別に用意する必要があった。必要に応じて、発光管の保護カバーを別途用意する必要もあった。
そのため、必要な機材点数が多数にのぼるうえ、付け替えの手間がかかるという不便があった。
【課題を解決するための手段】
【０００４】
そこで、リフレクタを複数枚の花弁状の金属またはプラスチック製部品で構成し、各花弁状の金属またはプラスチック製部品の根本部分のみを取り付け金具に蝶番を用いて固定し可変する構成とすることで、リフレクタの直径や反射角度を変化させることを可能とする器具を考案した。すなわち、本願考案は、複数枚の花弁型部品を環状の金具に固定し、花弁の開閉様に可動するようにすることで、光線の拡散状態を自在に変化させることができる、写真撮影照明用のリフレクタである。
【考案の効果】
【０００５】
よって、この考案を使用することにより、写真撮影時に求められる最適なリフレクタの径や反射量を常に自在に調整することができる。また、本考案では、リフレクタの花弁型部品を軽く手で押すことにより、形状とリフレクタ径を無段階に調整できるため、従来のリフレクタに比べて遙かに調整が容易である。
さらに、本考案のリフレクタ径を最小まで絞った状態ではスヌートと同じ効果を発生させるため、スポットライト効果を得たい場合にも、別途スヌートを用意する必要がなく便利である。
【考案を実施するための最良の形態】
【０００６】
本考案に係る撮影用照明機材用のリフレクタの実施形態を、図１、図２および図３に基づいて詳細に説明する。
本実施形態に係る撮影用リフレクタ１は、照明装置に取り付けるための環状の取り付け金具２に、複数の花弁状の部品３を取り付ける構成となっている。１枚１枚の花弁状部品は図４のように、取り付け金具に蝶番で取り付けられている。この取り付け金具の形状は既存の撮影用照明装置のリフレクタ取り付け部に適合するように形成されている。各素材はステンレスやアルミニウムなどの金属で形成するか、エンジニアリングプラスチックなどにより、軽量に形成することが望ましい。
前記花弁型部品は互いに重なり合うように配置されており、手で押して可動させることで図１のように開いたり、図３のように閉じることができる。各花弁状部品は重なり合うようにして配置されているため、手を離した場合には、お互いの摩擦により中間位置（図２）で停止する。
図１のように前記花弁型部品を最大に開いた状態では照明を拡散させることができ、広い範囲を照射する。該花弁型部品を可動させて閉じていくと、徐々に光線の照射角をせばめていき、最終的には図３のようにスポット光を照射する形態となる。
一般に、撮影用照明機材（スタジオ用ストロボ、HMI、クオーツライト）では衝撃に弱い発光管が用いられているため、運搬時にはリフレクタに保護キャップを装着して収納する必要がある。その点も、該花弁型部品を図３のように閉じた状態で用いれば発光管保護の機能も果たし、別途保護キャップを用意する必要がなく、便利である。
【産業上の利用可能性】
【０００７】
本考案に係る撮影照明機材用リフレクタは、工業的に量産することが可能であるため、産業上の利用可能性を有する。
【図面の簡単な説明】
【０００８】
【図１】本考案に係る撮影照明機材用リフレクタの花弁状部品を開いた状態の斜視図。
【図２】前記花弁状部品を途中まで閉じた状態の斜視図。
【図３】前記花弁状部品を完全に閉じた状態の斜視図。
【図４】取り付け金具に蝶番で固定されている花弁状部品の１個の正面図。
【図５】従来の固定式リフレクタの斜視図。
【図６】従来用いられていた集光用の器具であるスヌートの斜視図。
【図７】一般的な撮影用照明機材の発光部。
【図８】前記の一般的な撮影照明機材の発光部に、図５の固定式リフレクタを装着した状態の斜視図。
【図１】
0003139290.tif 000003
【図２】
0003139290.tif 000004
【図３】
0003139290.tif 000005
【図４】
0003139290.tif 000006
【図５】
0003139290.tif 000007
【図６】
0003139290.tif 000008
【図７】
0003139290.tif 000009
【図８】
0003139290.tif 000010
(57)【要約】      （修正有）【課題】熱油下の食材の油跳ねを防止するとともに二度揚げ調理を一般家庭でも簡単かつ安全に行うことができる鍋セットを提供する。【解決手段】器体１の両側部に比較的巾広で高さのある把手２，２を設けるとともにこの把手の水平中央部に偏平状の平面部３，３を設け、この両把手の中央平面部間に架置する粗目網篭体４及び密目網板体７の左右両側部に長い柄杆５，８と短い柄杆６，９とをそれぞれ設けて成る。【選択図】図１
0003139284.tif 000002
【実用新案登録請求の範囲】
【請求項１】
器体の両側部に比較的巾広で高さのある把手を設けるとともにこの把手の水平中央部に偏平状の平面部を設け、この両把手の中央平面部間に架置する粗目網篭体及び密目網板体の左右両側部に長い柄杆と短い柄杆とをそれぞれ設けて成ることを特徴とする調理用鍋。
【考案の詳細な説明】
【技術分野】
【０００１】
本考案は、食材を油で揚げる調理用鍋に関するものである。
【背景技術】
【０００２】
この種の調理用鍋としては、次のような技術が刊行物公知として存するが、いずれも熱油での食材による油跳ねを防止する鍋としては取扱いにくく、火傷等の危険を完全に回避することができるものではなかった。
【０００３】
【特許文献１】実開平６−３２３７号公報
【特許文献２】実開平６−１１６４１号公報
【特許文献３】登録実用新案第３００５５７６号公報
【特許文献４】特開２００６−２８８９９２号公報
【考案の開示】
【考案が解決しようとする課題】
【０００４】
そこで、本考案は、前記のような欠点を完全に除去するとともに、食材の熱油による二度揚げ調理を、一般家庭においても簡単かつ安全に行うことができる鍋セットを提供することを目的とするものである。
【課題を解決するための手段】
【０００５】
本考案は、器体の両側部に比較的巾広で高さのある把手を設けるとともにこの把手の水平中央部に偏平状の平面部を設け、この両把手の中央平面部間に架置する粗目網篭体及び密目網板体の左右両側部に長い柄杆と短い柄杆とをそれぞれ設けて成るものである。
【考案の効果】
【０００６】
第１に、肉類や魚類の油揚げ調理において二度揚げすることによって油熱が芯まで通った食品を安全に作ることができるから、一流調理人の腕前を一般家庭においても簡単に発揮することができるようになる。
【０００７】
第２に、もっとも危険な熱油の跳ね上げは、食材入りの網篭体の上方ぶに網板体の両柄杆を鍋器体の把手の中央面部間に横架しておくことによって確実に防止することができるようになる。
【０００８】
第３に、鍋器体を網篭体と網板体との三点セットとして提供することによって油揚げ調理の向上に寄与することができるようになる。
【考案を実施するための最良の形態】
【０００９】
本考案の揚げ鍋セットは二度揚げすることを目的に考案されたものであるから、その使い方を以下に説明する。
【００１０】
まず、鍋器体に適量の油を収容して加熱し、そこに粗目網篭体を沈め、その両柄杆は器体の対向周縁部に載せ置き、そこで食材を投入した後、密目網板体をその両柄杆を器体の対向周縁部に載せ置くとともに前記粗目網篭体上に重ねて置く。これによって、器体内部において起る油の跳ね上げは、食材を収容した粗目網篭体の上方に位置する密目網板体に当って跳ね返って落下するようになる。
【００１１】
程よく食材の表面が色付いた後は、網篭体と網板体との長柄杆を持ち上げ、短柄杆とともに器体の両把手の中央平面部上に載せ置く。これによって、網篭体の底部が器体の油面から離れて油が切れることになるから、内部の食材はしばらく揚げ休みの時間が与えられる。この休み時間を食材が与えられることによって、肉類等の食材に加えられた熱が内部に浸透することになる。
【００１２】
器体内の油温が十分に上昇したところで、食材入りの網篭体を再び器体内に入れて二度揚げを行い、こんがりしてきた段階で、再び網篭体の長柄杆を持ち上げて、網板体とともに器体の両把手の中央平面部上に重ねて載せ置く。これによって、食材の油ものの二度揚げ作業は終了することになる。
【実施例】
【００１３】
１は内面部がエンボス加工面に成る鍋器体で、この器体の両側部には比較的幅広で高さのある冂形の把手２，２を設ける。
【００１４】
３，３は前記把手２，２の水平中央部に偏平状に設けた平面部で、この平面部上には後記密目網板体と粗目網篭体の両柄杆をそれぞれ載せ置くようにする。
【００１５】
４は粗目網篭体で、この網篭体の一側部には比較的長い柄杆５を，他側部には比較的短い柄杆６を設ける。この粗目網篭体４の役割は食材の投入にある。
【００１６】
７は密目網板体で、この網板体の一側部には比較的長い柄杆８を，他側部には比較的短い柄杆９を設ける。この密目網目板体７の役割は油の跳ね上げ防止にある。
【００１７】
粗目網篭体４と密目網板体７の一方の長い柄杆５，８は手持ち部となり、他方の短い柄杆６，９は載せ置き部となる。
【００１８】
いずれの網篭体４の径も網板体７の径も、前記鍋器体１の口径に合わせその器体上縁部に係合載置し得るように成る。
【図面の簡単な説明】
【００１９】
【図１】全体の使用部材の斜視図
【図２】一使用状態の斜視図
【図３】他使用状態の斜視図
【図４】鍋器体の平面図
【図５】鍋器体の一部切欠正面図
【符号の説明】
【００２０】
１                    鍋器体
２，２                把手
３，３                中央平面部
４                    粗目網篭体
５                    長い柄杆
６                    短い柄杆
７                    密目網板体
８                    長い柄杆
９                    短い柄杆
【図１】
0003139284.tif 000003
【図２】
0003139284.tif 000004
【図３】
0003139284.tif 000005
【図４】
0003139284.tif 000006
【図５】
0003139284.tif 000007
(57)【要約】 【課題】      従来の撮影照明用機材では大型被写体と小型被写体で撮影照明用機材を使い分ける必要があり、大型被写体ではライトボックス等を備えた光源を利用し、小型被写体では卓上に設置できるミニチュア写真スタジオなどを利用していた。本考案は大型被写体でも小型被写体でも利用可能な撮影照明用機材を提供することを目的としている。 【解決手段】  四角形または多角形の開口部をもつ傘状の骨組みを形成し、該骨組みに反射シートを張設したソフトボックスの、反射シートの１面に開閉可能な小窓を設けて該小窓からの撮影を可能とすることで、卓上または床上等に設置してミニチュア写真スタジオとしての利用を可能とした、ソフトボックス。 【選択図】    図１
0003139289.tif 000002
【実用新案登録請求の範囲】
【請求項１】
光源装置を備えた折り畳み式のソフトボックスであって、該ソフトボックスに開閉自在な小窓を設け、該ソフトボックスを床や卓上に伏せるように設置して使用することにより、ミニチュア写真スタジオとして使用可能であることを特徴とする撮影用照明装置。
【考案の詳細な説明】
【技術分野】
【０００１】
本考案は写真や映画の撮影時に被写体を照明する、撮影用照明に関するものである。
【背景技術】
【０００２】
従来の技術では、大型の被写体と、小型の被写体の撮影には異なった機材を使用していた。この例として特許文献１または特許文献２に開示されているものがある。
【特許文献１】特開２００４−１４５０２３号公報
【特許文献２】実公平５−２４９１２号公報  本考案は、大型の被写体の撮影でも、小型の被写体の撮影でも使用可能で、常に被写体の色相および形態を写真画像として正確に再現することを目的とする折り畳み式の撮影照明用機材を提供することを目的とする。
【０００３】
古くから利用されていた大型の被写体を撮影するための写真撮影用の照明装置としては、折り畳み可能な四角形もしくは多角形の開口部をもつ傘状の骨組みに反射シートを張設することによって形成した凹形状の反射装置の焦点に光源を置き、必要に応じて該反射装置の開口部にディフューザー・スクリーンを張設する、ソフトボックスまたはライトバンクと呼ばれる装置が一般的であるが、小型の被写体の撮影には適しておらず、小型の被写体の撮影には別途卓上等に設置する、前記特許文献１に見られるような箱形のミニチュア写真スタジオ等を用意する必要があった。
【考案の開示】
【考案が解決しようとする課題】
【０００４】
本考案の技術的課題は、大型の被写体から小型の被写体まで、同一の撮影用照明装置で撮影することを可能にすることにある。
【課題を解決するための手段】
【０００５】
そこで、上記課題を解決するため、本考案の撮影用照明装置は、ソフトボックスの骨と骨の間に張設された反射シートのうちの一面に窓を設けて自在に開閉できるよう構成し、ソフトボックスを卓上等に伏せる形で設置した場合に、該開閉窓からソフトボックス内部に設置した小型の被写体を撮影することを可能とした。
大型の被写体を撮影する場合は該開閉窓を閉じることで通常のソフトボックスと同様に照明することが可能である。
【考案の効果】
【０００６】
よって、この考案を使用することにより、大型の被写体であれば従来通りソフトボックスをスタンドに取り付けて、ソフトボックスおよびソフトボックス内に設置した光源によって写真撮影を行うことが可能であり、小型の被写体であればソフトボックスをスタンドに取り付けることなく、卓上等に設置して、ソフトボックスおよびソフトボックス内に設置した光源を利用したミニチュア写真スタジオとして写真撮影を行うことが可能である。
【考案を実施するための最良の形態】
【０００７】
本考案に係る撮影照明用機材の実施形態を、図１、図２および図３に基づいて詳細に説明する。
第１図において、１は傘状の骨組み、２は骨組みに張設した反射シートにより構成されるソフトボックス、３は光源装置、４は開閉可能な小窓、５は上記光源装置を支持するスタンドを示している。
上記光源装置の正面図である第２図にあるとおり、複数の面をもつソフトボックスの１つの面に撮影用小窓６が設けられており、該小窓は面ファスナーやファスナー等によって閉じられており、必要に応じて７および８の面ファスナーまたはファスナー等を開放することによって撮影に適した大きさと形状の隙間を形成する。
すなわち大型被写体撮影時には図３のように面ファスナーまたはファスナー等を閉じた状態でソフトボックスとして使用し、小型被写体撮影時には図４のように面ファスナーまたはファスナーを開放して、ミニチュア写真スタジオとして使用する。この場合に、必要に応じて白または青色等の撮影用背景布（図５）を、面ファスナー等を用いてソフトボックス内部に備え付け（図６）、図７のように卓上または床上等に設置することで、簡単に写真撮影に適した背景をセットすることができる。
【産業上の利用可能性】
【０００８】
本考案に係る撮影照明用機材は、工業的に量産することが可能であるため、産業上の利用可能性を有する。
【図面の簡単な説明】
【０００９】
【図１】本考案に係る撮影照明用機材を支持用のスタンドに取り付けた状態の斜視図。
【図２】前記撮影照明用機材の正面図。
【図３】前記撮影照明用機材を卓上または床上等に設置した場合の斜俯瞰図。
【図４】前記卓上または床上等に設置した撮影照明用機材の撮影用小窓を開いた状態の斜俯瞰図。
【図５】前記卓上または床上等に設置した撮影照明用機材に装着する背景布の俯瞰図。
【図６】前記背景布を面ファスナー等で前記撮影照明用機材に備え付けた状態の斜俯瞰図。
【図７】前記撮影照明用機材の前記撮影用小窓を開いた状態で、さらに前記背景布を面ファスナー等で備え付け、卓上または床上に設置した状態の斜俯瞰図。
【図１】
0003139289.tif 000003
【図２】
0003139289.tif 000004
【図３】
0003139289.tif 000005
【図４】
0003139289.tif 000006
【図５】
0003139289.tif 000007
【図６】
0003139289.tif 000008
【図７】
0003139289.tif 000009
(57)【要約】      （修正有）【課題】ネックまたはソケットを自分の身体側に湾曲されたパターを使う事により、充分に身体にひきつけて打つ事で、腰への負担が軽減され、無駄な動きがなくなり、再現性のある、真直ぐなボールを打つ事が出来る。【解決手段】ゴルフ用パターのシャフト直線終端部からソールまでの部分を軸線に沿って０．１２７ｍ以内で自分の身体側に湾曲させたネック、またはソケット。【選択図】図１
0003139265.tif 000002
【実用新案登録請求の範囲】
【請求項１】
ゴルフ用パターのシャフト直線終端部からソールまでの部分を自分の身体側に湾曲させたネック、またはソケット
【考案の詳細な説明】
【技術分野】
【０００１】
本発明はパターのシャフト直線終端部からパターヘッドのソールまで０．１２７ｍ以内の間で自分の身体側に湾曲させたネック、またはソケットに関するものである。
【背景技術】
【０００２】
従来のパターのネック、またはソケットは自分の身体側に湾曲されたものが無く充分にパターを自分の身体にひきつけられなかった。
【考案の開示】
【考案が解決しようとする課題】
【０００３】
パッテイングのポイントはカップに向かってボールを真直ぐに転がす事が
重要であるが、真直ぐに再現性のあるボールを打つには長い経験が必要であった。ゴルフプレイの中で打数のもっとも多いのはパッテイングである、パッテイングスタイルは通常前かがみで行うものであるが、腰への負担がかかるのと、再現性のある真直ぐなボールが打ちにくい。
従来のパターのネック、またはソケットは自分の身体側に湾曲されたものがなく、クラブを充分に自分の身体側にひきつける構造になっていない。
【課題を解決するための手段】
【０００４】
パターのシャフト直線終端部からパターヘッドのソールまでのネックまたはソケットを軸船に沿って０．１２７ｍ以内で身体側に湾曲に曲げたものを使用し、クラブを自分の身体側にひきつけられる事で問題点を解決している。
【考案の効果】
【０００５】
ネックまたはソケットを自分の身体側に湾曲させる事で、クラブを自分の身体側にひきつけて打つ事で、腰への負担が軽減されるのと、無駄な動きがなくなり再現性のある真直ぐなボールが打てる。
【実施例】
【０００６】
以下添付図面に従って一実施例を説明する。図のごとく、シャフト直線終端部３から、パターヘッドのソール７まで軸線に沿って０．１２７ｍ以内でネック、またはソケット５を湾曲させる。
【０００７】
１がグリップ、２がシャフト、３がシャフト直線終端部、４がソールまでの軸線に沿ったネックまたはソケットの湾曲仮想終端部、５がネックまたはソケット、６がパターヘッド、７がソール、８がボール、９がグリーンで構成されるが、今回の発明は身体側に湾曲された、ネックまたはソケットである。
【図面の簡単な説明】
【０００８】
【図１】は湾曲されたネックまたはソケットを有するパターの斜視図
【符号の説明】
【０００９】
１  グリップ
２  シャフト
３  シャフト直線終端部
４  軸線に沿ったネックまたはソケットの湾曲された仮想終端部
５  ネックまたはソケット
６  パターヘッド
７  ソール
８  ボール
９  グリーン
【図１】
0003139265.tif 000003
(57)【要約】【課題】透孔ないし係止紐、係止環等の係止手段を備えていない被保持物をも支障なく保持し、しかも、支持面を傷つけることなく、かつ、平滑でない支持面に対しても容易に着脱することができる保持具を提供する。【解決手段】表面１に係合素子３を備えた面ファスナー５の裏面に粘着剤層９を設けてなることを特徴とする保持具。係合素子３は、例えば、フック状係合素子、ループ状係合素子、マッシュルーム状係合素子、鋸歯状係合素子等である。保持具の平面形状は円形に限られるものではなく、正方形、長方形、楕円形等いかなる形状であってもよい。【選択図】図１
0003139262.tif 000002
【実用新案登録請求の範囲】
【請求項１】
表面に係合素子を備えた面ファスナーの裏面に粘着剤層を設けてなることを特徴とする保持具。
【考案の詳細な説明】
【技術分野】
【０００１】
本考案は、タワシ、布巾、タオル、眼鏡ふき等の軽量物（以下「被保持物」という。）を例えば流しの壁面、浴槽の壁面、部屋の壁面等の支持面に保持するための保持具に関するものである。
【背景技術】
【０００２】
被保持物を壁面等の支持面に保持させる際には、例えば、フック等の保持具（以下「従来の保持具Ａ」という。）を壁面等の支持面に突設することがしばしば行われている。
【０００３】
従来の保持具Ａは、基部に尖端部又はねじ部を備え、該尖端部を支持面に打ち込み又は該ねじ部を支持面に螺挿することにより、該支持面に突設される。
【０００４】
被保持物は、支持面に突設された従来の保持具Ａに係止される。
【０００５】
意匠登録第１１０６６７１号公報は、吸盤の中心に突起部を突設してなる保持具（以下「従来の保持具Ｂ」という。）を開示している。
【０００６】
従来の保持具Ｂは、吸盤を平滑な支持面に吸着させることにより、該支持面に固定される。
【０００７】
被保持物は、支持面に固定された従来の保持具Ｂの突起部に係止される。
【特許文献１】意匠登録第１１０６６７１号公報
【考案の開示】
【考案が解決しようとする課題】
【０００８】
上記従来の保持具Ａにおいては、例えばスポンジ状のタワシ等の被保持物の場合には、そのままでは従来の保持具Ａに係止することができないという問題がある。
【０００９】
したがって、スポンジ状のタワシ等の被保持物を従来の保持具Ａに保持させるためには、例えば、該被保持物に透孔を穿設し、又は係止紐、係止環等の係止手段を備えさせ、該透孔又は係止手段に従来の保持具Ａを挿嵌する必要がある。
【００１０】
また、従来の保持具Ａは、これを支持面に固定する際には、基部の尖端部を支持面に打ち込み又は基部のねじ部を支持面に螺挿する必要がある。その結果、支持面に傷が生ずることになるという問題がある。
【００１１】
一方、上記従来の保持具Ｂにおいては、従来の保持具Ａと同様に、例えばタワシ等の被保持物の場合には、そのままでは係止させることができないという問題がある。
【００１２】
また、従来の保持具Ｂにおいては、吸盤を吸着させる支持面は平滑なものであることを要し、該支持面が平滑でない場合には従来の保持具Ｂは使用することができないという問題もある。
【００１３】
本考案は、上記従来の保持具Ａ、Ｂにおける上述の如き問題を解決し、透孔ないし係止紐、係止環等の係止手段を備えていない被保持物をも支障なく保持し、しかも、支持面を傷つけることなく、かつ、平滑でない支持面に対しても容易に着脱することができる保持具を提供しようとしてなされたものである。
【課題を解決するための手段】
【００１４】
上記課題を解決するために、本考案は、表面に係合素子を備えた面ファスナーの裏面に粘着剤層を設けてなることを特徴とする保持具を提供する。
【考案の効果】
【００１５】
本考案による保持具は、面ファスナー裏面の粘着剤層により壁面等の支持面に取り付け、面ファスナー表面の係合素子に被保持物を取り付けるようにしている。
【００１６】
したがって、透孔ないし係止紐、係止環等の係止手段を備えていない被保持物についても、面ファスナー表面の係合素子により、支障なく保持具に取り付けることができる。被保持物を面ファスナー表面の係合素子から取り外すことも極めて容易である。
【００１７】
また、本考案による保持具は、面ファスナー裏面の粘着剤層により壁面等の支持面に取り付けるようにしているため、支持面を傷つけることなく容易に支持面に取り付けることができると共に、支持面から容易に取り外すこともできる。
【００１８】
さらに、本考案による保持具は、面ファスナー裏面の粘着剤層により壁面等の支持面に取り付けるようにしているため、平滑でない支持面に対しても容易に着脱することができる。
【考案を実施するための最良の形態】
【００１９】
本考案による保持具は、表面１に係合素子３、３・・・を備えた面ファスナー５の裏面７に粘着剤層９を設けてなるものである。
【００２０】
符号１１に示すものは面ファスナー５の基材である。基材１１の表面１には多数の係合素子３、３・・・が突設されている。
【００２１】
係合素子３、３・・・は、例えば、フック状係合素子、ループ状係合素子、マッシュルーム状係合素子、鋸歯状係合素子等である。
【００２２】
符号１３に示すものは、粘着剤層９に取り付けられる剥離紙（剥離ライナー）である。
【００２３】
図示の保持具は平面形状が円形であるが、保持具の平面形状は円形に限られるものではなく、正方形、長方形、楕円形等いかなる形状であってもよい。
【００２４】
図４に示す事例においては、壁面１５に取り付けた保持具の係合素子３、３・・・にスポンジ状のタワシ１７を保持させている。
【００２５】
図５に示す事例においては、壁面１５に取り付けた保持具の係合素子３、３・・・にタオル１９を保持させている。
【図面の簡単な説明】
【００２６】
【図１】本考案による保持具の一例を示す斜視図である。
【図２】同上保持具の側面図である。
【図３】同上保持具の一部を拡大して示す側面図である。
【図４】同上保持具の使用状態の一例を示す側面図である。
【図５】同上保持具の使用状態の別の一例を示す側面図である。
【符号の説明】
【００２７】
１  表面
３  係合素子
５  面ファスナー
７  裏面
９  粘着剤層
１１  基材
１３  剥離紙
１５  壁面
１７  タワシ
１９  タオル
【図３】
0003139262.tif 000003
【図４】
0003139262.tif 000004
【図１】
0003139262.tif 000005
【図２】
0003139262.tif 000006
【図５】
0003139262.tif 000007
(57)【要約】      （修正有）【課題】省エネ涼風ファンの提供。【解決手段】省エネ涼風ファンは、複数の孔１１を設置した外殻１内に、複数の熱電クーラー３と少なくとも一つのファン２を設置し、熱電クーラーは電流を流して、表面を低温にし、ファンは外殻の外の空気を外殻内に吸入するのに用い、空気が熱電クーラーを通過し、制冷リップが空気中の熱量を吸収した後、更に、孔により涼風を吹出し、熱電クーラーが吸熱後に生成する水は、外殻内に設置された盛水槽１２中に落入し、取り出して捨てるのに便利である。【選択図】図２
0003139237.tif 000002
【実用新案登録請求の範囲】
【請求項１】
省エネ涼風ファンであって、
内外部を貫通する複数の孔を有する外殻と、
前記外殻内に設置され、通電した後、表面温度が０℃以下になる複数の熱電クーラーと、
前記外殻内に設置され、前記外殻の孔から空気を吸入し、空気が前記熱電クーラーを通過し、別の孔から吹出するファンと、
前記外殻に設置され、前記熱電クーラーが生成する水を収集する盛水槽と、
からなることを特徴とする省エネ涼風ファン。
【請求項２】
前記外殻内に導水板を設置し、前記熱電クーラーが流出する水を前記盛水槽に導入することを特徴とする請求項１に記載の省エネ涼風ファン。
【請求項３】
前記孔は、前記外殻の全周面に分布することを特徴とする請求項１に記載の省エネ涼風ファン。
【考案の詳細な説明】
【技術分野】
【０００１】
本考案は消耗電力が少なく、使用が便利なファンに関するものである。
【背景技術】
【０００２】
現在、市販の涼風ファンは、公知のファンとクーラーに存在する問題を解決し、涼風ファンは、通常のファンより涼しい風を吹出するが、消耗電力はクーラーより少ないという特徴がある。涼風ファンは、主に、機体に設置された、氷を放置できる容器と、容器に対し風を吹くファンと、からなる。使用者は、使用前に、容器内に適量の氷を置入し、その後、ファンを運転し、ファンが氷が盛られた容器を吹き、風が氷を通過後、氷が空気中の熱量を吸収して、空気の温度を低下させるものである。
【０００３】
前述の涼風ファンの最大の欠点は、使用前に、大量の氷を準備しておかなければならないことで、使用が面倒で、且つ、涼風には多くの湿気を含んでいることから、室内の湿度が過度になり、不快感がある。
【考案の開示】
【考案が解決しようとする課題】
【０００４】
本考案の目的は、上述の問題を改善する省エネ涼風ファンを提供することにある。
【課題を解決するための手段】
【０００５】
本考案の特徴は、熱電クーラー(Thermoelectric
Cooling Module，TEC)にファンを組み合わせて、涼風ファンを製造する。本構造は、複数の孔を設置した外殻内に、複数の熱電クーラーと少なくとも一つのファンを設置し、熱電クーラーは電流を流して、表面を低温にし、ファンは外殻の外の空気を外殻内に吸入するのに用い、空気が熱電クーラーを通過し、熱電クーラーが空気中の熱量を吸収した後、更に、孔により涼風を吹出し、熱電クーラーが吸熱後に生成する水は、外殻内に設置された盛水槽中に落入し、取り出して捨てるのに便利である。
【０００６】
熱電クーラーTECは、半導体P−N材料組み合わせ素子で、ぺルチェ（Peltier）効果により制冷、或いは、加熱する。TEC両端に一つの直流電圧を加えると、直流電流を生成し、これが、TECの一端を発熱させ、もう一端を制冷する。発熱する一端は“熱端
制冷する一端は”冷端“である。TEC両端の電圧が反対方向でも、相反する熱流が熱端から冷端になり、冷端が熱端になる。実際、熱、或いは、冷端は、どちらも、TEC製造後に定義されるものである。通常、一般に二個のピンを有するその端を熱端とし、時に、これも、制冷とすることがある。安定した温度が必要な物体は冷端に設置され、散熱部分は熱端に設置される。
【０００７】
TECが排除する熱量とTECを通過する電流値は関係する。電流が大きいと、排除する熱量も多くなるが、これは、線的関係ではない。よって、目標物体の温度が、TEC両端を流れる電流方向と幅を制御することにより制御できる。しかし、TECの電流が一旦最大値を超過すると、TECは制冷できず、発熱するだけである。よって、システム設計時に、このような状況の発生を防止する必要がある。
【考案の効果】
【０００８】
本考案の涼風ファンは、熱電クーラーが空気中の熱量を吸収した後、孔により涼風を吹出し、生成する水が、外殻内に設置された盛水槽中に落入し、取り出して捨てるのに便利であり、また、節電型であるという長所を有する。
【考案を実施するための最良の形態】
【０００９】
図１〜図３は本考案の省エネ涼風ファンの好ましい実施例を示す図で、機体となる外殻１からなり、外核は円筒形、或いは、その他の美観の造型である。外殻１は、内外を貫通する複数の孔１１を設置する。本考案の好ましい実施例において、孔１１は外殻１の全周面に分布する。外殻１内部の下方に空間を有し、空間は引き出し式の盛水槽１２を設置する。盛水槽１２は外殻から引き出したり、外殻内に推入することができる。盛水層１２の外壁面は凹部を有し、指で引き出しやすくなっている。  更に、底部にローラー１４を有し、移動に便利である。
【００１０】
本考案は、更に、外殻１内部上方に複数のTEC３を設置し、TEC３に近接するところにファン２を設置する。TEC３は水平で、互いに平行に設置され、ファン２の中心軸はTEC３の平行方向に平行で、ファン２が吹く風がTEC３の間の空間を通過する。本考案は、外殻１の内壁面に少なくとも一つの傾斜した導水板１５を設置し、導水板１５の低端は盛水槽１２の上方に延伸し、且つ、導水板１５はTEC３下方に位置する。外殻１の上方は、ファン２とTEC３の作動を制御するボタン１３を設置する。
【００１１】
本考案の涼風ファンの作動方式は、ファン２起動時、空気がファン後方の孔１１から外殻内に進入し、その後、空気がTEC３に向かって吹き、TEC３は通電後、表面温度が０℃以下になるので、空気中の熱量TEC３により吸収され、涼風が相対する一端の孔１１から吹出する。TEC３は熱量を吸収した後、水を生成し、水は、直接、盛水槽１２内に入り、一部の水は導水板１５に落ち、導水板１５により盛水槽１２の位置に導引されて落下する。本考案は、外殻内の適当な位置に、水位検知器（図示しない）を設置してもよく、盛水槽内の水位が一定程度になったときに警告信号を発し、使用者に、盛水槽１２を取り出し（図３で示される）、水を捨てるように促す。
【図面の簡単な説明】
【００１２】
【図１】本考案の外観形態の立体図である。
【図２】本考案の実施例による平面図である。
【図３】図２の盛水槽を引き出して収集された水を捨てる状態を示す図である。
【符号の説明】
【００１３】
１    外殻
２    ファン
３    TEC
１１  孔
１２  盛水槽
１３  ボタン
１４  ローラー
１５  導水板
【図１】
0003139237.tif 000003
【図２】
0003139237.tif 000004
【図３】
0003139237.tif 000005
(57)【要約】      （修正有）【課題】高結合性、無汚染、高伝熱効果を有する電子素子のナノ炭伝熱構造の提供。【解決手段】電子素子のナノ炭伝熱構造は、電子素子２と、放熱器３と、固態伝熱層１とを含む。その内の固態伝熱層は、シリカやアルミナに粉末状の金属粒子とナノ炭粉を混合して組成、放熱器と電子素子の間に結合し、金属粒子を均等に敷き詰め、完全に無機層内部に包み込まれた構造であり、電子素子上の熱を迅速に放熱器に伝えて排除する。【選択図】図１
0003139233.tif 000002
【実用新案登録請求の範囲】
【請求項１】
電子素子と、放熱器と、固態伝熱層とを含み、
その内の該固態伝熱層は、無機ホットメルトに金属粒子及びナノ炭粉を混合して組成、該金属粒子はホットメルトに完全に包覆され、並びに、電子素子及び放熱器間に結合して一体となることを特徴とする電子素子のナノ炭伝熱構造。
【考案の詳細な説明】
【技術分野】
【０００１】
本考案は、無機塗料を電子素子と放熱器に結合し乾燥させた後、固態伝熱層を形成した電子素子のナノ炭伝熱構造に関するものであり、高結合性、無汚染、高伝熱効果を有する。
【背景技術】
【０００２】
電子素子は、使用上熱を発生させる故、この熱を効果的に除去する為に通常、放熱器を電子素子に結合することにより、放熱の目的を達成している。該放熱器は一般的には金属製品であり、大部分はアルミ合金で電気伝導性を有し、電子素子とは直接結合できないものである。公知技術においては主に、伝熱グリース（例えばT-grease等商品）を使い二者を結合している。それは、グリース状油脂（例えばワセリン）中に、セラミック粉末、チッ化ホウ素、金属粉を添加して軟膏状にした商品である。この種の材料の熱抵抗値は比較的低く、伝熱係数は最大３w/m.kに達するが、使用時に電子素子や回路板を汚染する可能性があり、高温において容易に液化や外浸透する為、漏れ防止装置を取り付けなければならず、実用的ではない。また、この公知商品の耐熱温度レベルは不足しており、通常は150℃のみである。現在、公開特許案第589347号の如きその他の類似する改良商品はあるが、その構造は全て軟膏状形態であり、同様の欠点を持つ。また、この粘着結合構造の伝熱効果もまた不足している。
【考案の開示】
【考案が解決しようとする課題】
【０００３】
本考案は、公知技術において、電子素子や回路板を汚染し、粘着結合構造の伝熱効果が不足している点を解決し、高結合性、無汚染、高伝熱効果を有する電子素子のナノ炭伝熱構造を提供する。
図１、図２に示すとおり、本考案は、電子素子２と、放熱器３と、固態伝熱層１とを含む。その内、固態伝熱層１は、無機耐汚染高硬度ホットメルト塗料に金属粒子１１を混合して組成されたものであり、該金属粒子１１は、例えば銅粒子や、伝熱性の良好な金粉または銀粉であり、並びにナノ炭粉を混合する。また固態伝熱層１は、電子素子２と放熱器３間に結合し、一体構造を形成する。この固態伝熱層１の耐熱温度は500℃であり、汚染を引き起こすことがなく、非常に良好な伝熱効果を持ち、伝熱係数は８w/m.kに達する。
【課題を解決するための手段】
【０００４】
請求項１の考案は、電子素子と、放熱器と、固態伝熱層とを含み、
その内の該固態伝熱層は、無機ホットメルトに金属粒子及びナノ炭粉を混合して組成、該金属粒子はホットメルトに完全に包覆されており、並びに、電子素子及び放熱器間に結合して一体となることを特徴とする電子素子のナノ炭伝熱構造としている。
【考案の効果】
【０００５】
本考案の電子素子のナノ炭伝熱構造は、高結合性、無汚染性、高伝熱効果を有することを特徴とする。
【考案を実施するための最良の形態】
【０００６】
本考案の使用前は、軟膏状の半固形構造であり、シリカやアルミナにより組成される無機ホットメルト１２に、一定比率の金属粒子１１及びナノ炭粉を混合したものである。該金属粒子１１は、300メッシュを超えない大きさに粉砕し、各金属粒子１１は全て無機ホットメルト１２により完全に包まれている。その後、この混合後の塗料を全て放熱器３上部に塗布し、更に電子素子２を組み合わせ、乾燥固形化後は、図２に示した固態伝熱層１となる。この完全無機組成の結合剤は、各種金属、ガラス、磁器タイル、亜鉛メッキ板等に対し良好な結合力を持つ故、電子素子２及び放熱器３の一体結合を効果的に行う。また、固態伝熱層１内には金属粒子１１及びナノ炭粉を敷き詰めており、高伝熱効果を持つ。簡易テストによる公知の伝熱グリースとの比較において、二つの同様の金属片を本考案の固態伝熱層１及び公知の伝熱グリースに各々結合し、室温24℃の下、一方側を800℃のガスで8秒間加熱、もう一方側の温度を測定した。結果、本考案を結合したサンプルは80℃であったのに対し、公知の伝熱グリースを結合したサンプルは42℃であり、本考案の伝熱効果が公知のものより優れていることが顕著に示された。
【０００７】
図３、図４に、発光ダイオードと放熱器に結合応用した本考案の実施例を示す。その内、発光ダイオード４は回路板４１上に設置するが、まず固態伝熱層１を放熱器３の表面に設け、更に回路板４１を結合させ、各構成要素を一体に組み合わせる。本考案の実施例による放熱に基づき、18Wの発光ダイオードを24時間連続発光させた場合、その中心温度は80℃以下に保たれるが、公知商品は全て120℃前後となり、低温における発光ダイオードの光熱は自然に低下する故、その使用寿命は明らかに延長され、効果を増進する。
【０００８】
前述したとおり、本考案の固態伝熱構造は、例えば、パソコンのＣＰＵ、回路板、電源サプライ等の各種電子商品上にも実施することが可能であり、電子素子上に生じた熱を放熱器に効率的に伝え、更に放熱器を通して熱を排除する故、電子素子の作業温度を効果的に低下させてその使用寿命を延長させる。
【図面の簡単な説明】
【０００９】
【図１】本考案の実施例に関する立体分解図である。
【図２】図１の局部拡大断面図である。
【図３】本考案を発光ダイオードに結合した実施例立体図である。
【図４】図３の側面図である。
【符号の説明】
【００１０】
１    固態伝熱層
１１  金属粒子
１２  無機ホットメルト
２    電子素子
３    放熱器
４    発光ダイオード（LED）
４１  回路板
【図１】
0003139233.tif 000003
【図２】
0003139233.tif 000004
【図３】
0003139233.tif 000005
【図４】
0003139233.tif 000006